【事件の表示】
　平成　６年特許願第３３０３８２号「再生装置及び回転サーボ回路」拒絶査定に対する審判事件［平成　８年　６月２５日出願公開、特開平　８−１６７２３９］について、次のとおり審決する。
【結　論】
　本件審判の請求は、成り立たない。
【理　由】
１　経緯
　本件は、平成６年１２月７日の特許出願であり、平成１２年１０月１８日に審査請求されるとともに、手続補正された。平成１３年５月１８日付けで、「出願前に頒布された刊行物に記載された発明であるから、また記載された発明に基いて，その出願前にその発明の属する技術の分野における通常の知識を有する者が容易に発明をすることができたものであるから、特許を受けることができない」という拒絶理由が通知され、平成１３年７月２４日に意見書が提出され、手続補正がされたが、平成１３年８月８日付けで上記の理由で拒絶査定された。
　そこで平成１３年９月１９日に審判請求すると共に、手続補正されたが、前置報告が平成１３年１１月３０日付けでなされた。
　合議体から平成１５年６月４日付けで、「出願前に頒布された刊行物に記載された発明に基いて，その出願前にその発明の属する技術の分野における通常の知識を有する者が容易に発明をすることができたものであるから特許を受けることができない」という拒絶理由が通知され、平成１５年８月８日に意見書が提出され、手続補正がなされたものである。
　
２　本願発明
　本件出願の特許請求の範囲請求項１に係る発明は、請求項１で特定された事項である次のとおりのものである。
「【請求項１】　８ビットデータ単位毎にＥＦＭ変換テーブルに基づいて１４ビットからなるＥＦＭワードに変換され、固定パターンから成るシンクパターンと上記複数のＥＦＭワードと上記ＥＦＭワード間に挿入される３ビットからなるマージンビットとパリテイとから単一ＥＦＭフレームを構成し、上記ＥＦＭフレームに含まれる「１」の発生位置をパルス反転位置とし、「１」と「１」との間隔を最小反転間隔と最大反転間隔で制限されるとともに「１」と「１」との間に所定個数以上の「０」が挿入されるランレングスリミテッドコードが適応されて、ＥＦＭ変調の対象となるＰＣＭオーデイオデータがＭ系列データでスクランブルがかけられて記録されるデイスク状記録媒体を回転させる回転手段と、
　ラフサーボ時の目標電圧値を生成する目標電圧値生成手段と、
　上記デイスク状記録媒体から再生されるＥＦＭ信号の平均周波数に応じた電圧値と上記目標電圧値生成手段にて生成された目標電圧値を比較する比較手段と、
　ラフサーボ時に上記比較手段の比較結果に基づいて上記回転手段を制御する制御手段とを備えた再生装置において、
　上記目標電圧生成手段で生成される目標電圧値は、上記ＥＦＭ変換テーブルのＥＦＭワードの全発生パターンに対して１ワード内の反転回数を集計して１ワード内の平均反転回数を予め算出し、上記１ワード内の平均反転回数に基づいて上記単一ＥＦＭフレーム内での平均反転回数を算出し、上記算出された単一ＥＦＭフレーム内での平均反転回数に基づいて生成されること
　を特徴とする再生装置（以下、本願発明という。）。」
　
３　引用例
　
（１）引用例１　特公昭６３−４６９００号公報
　
ａ　特許請求の範囲１に、
　「螺線状に形成されるトラックの信号記録点とこのトラックの接線方向との相対移動速度を一定に制御して前記トラックにデイジタル信号を記録したデイスク記録媒体を回転駆動するモータと、前記デイスク記録媒体のトラツクをトレースして再生される前記デイジタル信号の一定時間内における極性変化点の数に対応する値を検出する極性変化点数検出手段と、この手段による検出結果が一定となるように前記ディスク記録媒体の回転駆動速度を制御する手段とを具備したことを特徴とするディスク記録媒体の回転制御装置。」と記載され、
　
ｂ　第１頁右欄第１８行〜第２８行に、
　従来例として、「第１図はこの種、一定線速方式のＰＣＭディスク再生装置の一例を示す概略機成図である。螺旋状のトラックを形成して信号記録したディスク記録媒体１はモータ２により回転駆動され、送り回路３によってデイスク半径方向に移動制御される信号検出部４によって、上記信号の再生検出がなされる。この信号検出部４によって再生されたディスク１からの再生信号は、コンパレータ５からエッジ検出器６を介してＰＬＬ回路７に導かれ、再生信号のエッジ部に同期したクロツク成分の再生がなされる。」と記載されており、従来例としてのディスクとモータに関する記載は、以下の引用例１の発明と何ら変わることがない。
　
ｃ　第２頁右欄第第５行〜第１１行に、
　「（問題点を解決する為の手段とその作用）　
　本発明はディスクのトラックをトレースして再生されるディジタル信号の一定時間内における極性変化点の数を検出しこの検出結果に対応する値が一定となるようにディスクの回転駆動速度を制御することにより上述の目的を効果的に達成したものである。」と記載され、
　
ｄ　第２頁右欄第１２行〜第３１行に、
　「即ち、再生されるデイジタル信号の極性変化点に応じてパルス信号を発生させるとすると、一般に上記パルス信号は一般に一定周期の列ではなく、信号の性質に大きく依存すると共にＭＦＭやＮＲＺＩ等の変調方式等の違いによつても大きく変化する。しかしながらディジタル信号等の場合、一定時間毎に区切られた期間内に含まれるパルス数そのものは略一定であるという統計的性質を示す。勿論、パルス数そのものでなく、例えばそのパルスをカウンタで計数して得た値など、パルス数に対応する値であればよい。従って、デイスクが一定線速制御されて回転駆動された状態で信号再生が行われたときには、上記パルス信号の数に対応する値は変調方式に応じた略一定の値となる。換言すれば、一定時間内のパルス信号の数に対応する値が一定となるように回転駆動速度を制御することにより一定線速制御がなされる。このとき、ＰＬＬ回路の引き込み範囲は狭くてよく時定数を大きくとれ、したがって雑音等の影響を抑えることができる。」と記載され、
　
ｅ　第２頁右欄第３２行〜第３頁左欄第１９行に、
　「（実施例）
　第２図は第１の実施例を示す装置の概略機成図である。尚、第１図に示す装置と同一部分には同一符号を付して説明する。
　この装置の特徴とするところは、信号検出部４によりディスク１から再生された信号をコンパレータ５を介して得るエッジ検出器６を、例えばモノステーブル・マルチ・バイブレータにて構成し、再生信号の極性変化点、つまりディジタル信号の立上りおよび立下りエッジを検出する都度一定電圧で且つ一定パルス幅のパルス信号を発生させるようにした点にある。そして、このパルス信号の列をＰＬＬ回路７に入力してクロツク再生を行い、このクロツクに従ってデイジタル信号復調回路８にて再生信号のデイジタル復調を行わしめている。このディジタル復調された信号をエラー訂正回路や補正回路等により機成されたＰＣＭ処理回路２１を介して情報再生し、これを出力している。
　一方、上記エッジ検出器６にて生成された一定電圧で一定パルス幅のパルス信号の列はＬＰＦ２２を介して平均化処理された後、増幅器２３を介して上記平均の値に相当した電圧に変換されて加算器２４に導かれる。この加算器２４には、前記データ再生された信号中から同期分離回路１２を介して分離された同期信号と、参照信号との位相比較によって求められた位相誤差信号がＬＰＦ１５を介して供給され、上記パルス信号列の平均電圧値に加算されている。この加算器２４によって得られた信号に基づいてモータ駆動回路１６は前記モータ２の回転速度、つまりディスク１の回転を制御している。」と記載され、
　
ｆ　第３頁左欄第２６行〜第４２行には、
　「しかし、デイジタル信号に変換された音声信号やオーディオ信号等の場合、一定時間毎に区切られた期間内に含まれるパルス数は略一定であり、従ってディスク１が一定線速制御されて回転駆動された状態で信号再生が行われたときには、パルス数Ｎは変調方式に応じた略一定の値となり、パルス信号列の平均電圧も或る値に一定化する。そして、ディスク１の回転速度が上記一定線速の条件からずれた場合、これに応じて上記パルス数Ｎが増減してそのパルス信号列平均電圧が変化することになる。モータ駆動回路１６は、基本的には上記の如く求められた平均電圧に基づき、同平均電圧が一定線速条件により規定される値に一定化するべくモータ２の回転速度を制御している。つまりパルス信号列の平均電圧として示される再生信号の周波数成分に従ってディスク１の一定線速回転制御が行われる。」と記載され、
　
ｇ　第３頁左欄第４３行〜右欄第２０行には、
　「しかして、この制御を受けてデイスク１が所定の一定線速制御範囲に入るとＰＬＬ回路７が作動して再生信号のクロツク成分が抽出される。このクロツク成分に従ってデイジタル復調されたデータ系列から抽出された同期信号は、比較基準となる参照信号と位相比較されて、その位相誤差が前記平均電圧に加算されてモータ駆動回路１６に供給される。この位相誤差によって示されるデイスク１の僅かな回転速度のいずれ、つまり一定線連制御の誤差が示され、同位相誤差を一定の関係に保つべく回転速度制御の修正が行われ、ここに線速度の高安定な一定化が図られている。またこれによってワウフラツタの低減が図られている。
　ところで、デイスク１の回転速度が大幅に異なっている場合にはＰＬＬ回路７がロック動作しない為、結局同期信号は抽出されない。このとき、位相誤差を求める位相同期系は動作せず、平均電圧を求めて回転を制御する周波数同期系のみが動作することになる。そしてディスク１が所定の線速を得る回転速度に近づくとＰＬＬ回路７が作動し、これによって位相同期系が動作することになる。」と記載されている。
　
ｈ　ところで、一定時間内のパルス信号の数に対応する値が一定となるように回転駆動速度を制御するということは、一定のパルス値あるいはそれに対応する電圧と比較することが必要である。
　してみると、引用例１には、
　「ディスク記録媒体１を回転駆動するモータ２と、
　螺旋状のトラックを形成して信号記録したディスク記録媒体１のＰＣＭ信号を検出する信号検出部４と、
　ＰＣＭ信号の一定時間内における極性変化点（立上りおよび立下りエッジを検出する）の数に対応する値を出力する極性変化点数検出手段（エッジ検出器６）と、
　上記エッジ検出器６にて生成された一定電圧で一定パルス幅のパルス信号の列を平均化処理するＬＰＦ２２と、上記平均の値に相当した電圧に変換する増幅器２３と、
　平均電圧に基づき、同平均電圧が一定線速条件により規定される値に一定化するべくモータ２の回転速度を制御する回転制御装置」が示されている。
　
（２）引用例２　特開平６−１７６４９３号公報
　
　「再生ヘッド４によって再生された信号」は、ＥＦＭ信号であり、引用例２には次のことが示されている。
　「情報が時系列に記録された記録媒体であるディスク１を回転させるモータ２と、
　光ビームをトラック１ａ上に収束させ、トラック１ａからの反射光を光電変換して、トラック１ａ上に記録された情報（ＥＦＭ信号）を再生する再生ヘッド４と、
　再生クロックを動作クロックとして再生信号５ａから情報を検出し、情報の中からＥＦＭシンク信号を検出して再生系ＥＦＭシンク信号９ａを出力するＥＦＭシンク検出回路９と、
　ＥＦＭシンク検出回路９の出力である再生系ＥＦＭシンク信号９ａによって、トラック１ａを再生する速度、即ち線速度を検出し、線速度が所定の値となるように制御するモータ制御回路２４とを有する
　情報再生装置。」
　
３　本願発明と引用例の対比・検討                        　　　　　　　
（１）本願発明１と引用例１との対比について
　引用例１のディスクに記録された情報は、ＰＣＭであり、ＥＦＭではないが、引用例１の回転制御装置は、再生装置であるといえる。
　そして、引用例１の図２、３及び記載事項ｇの「この制御」が本願発明の「ラフサーボ」に相当する。
　引用例１の「ディスク記録媒体」が本願発明の「デイスク状記録媒体」に、引用例１の「一定線速条件により規定される値」が本願発明の「目標電圧値」にそれぞれ相当し、引用例１の「一定化するべくモータ２の回転速度を制御する」ことは、本願発明の「目標電圧値を比較する比較手段」を必然的に含む。
　
　（一致点）
　従って、本願発明１と引用例１とは、
　「デイスク状記録媒体を回転させる回転手段と、
　ラフサーボ時の目標電圧値を生成する目標電圧値生成手段と、
　上記デイスク状記録媒体から再生される信号の平均周波数に応じた電圧値と上記目標電圧値生成手段にて生成された目標電圧値を比較する比較手段と、
　ラフサーボ時に上記比較手段の比較結果に基づいて上記回転手段を制御する制御手段とを備えた再生装置」
である点で一致する。
　
　（相違点）
　本願発明は、（ａ）「８ビットデータ単位毎にＥＦＭ変換テーブルに基づいて１４ビットからなるＥＦＭワードに変換され、固定パターンから成るシンクパターンと上記複数のＥＦＭワードと上記ＥＦＭワード間に挿入される３ビットからなるマージンビットとパリテイとから単一ＥＦＭフレームを構成し、上記ＥＦＭフレームに含まれる「１」の発生位置をパルス反転位置とし、「１」と「１」との間隔を最小反転間隔と最大反転間隔で制限されるとともに「１」と「１」との間に所定個数以上の「０」が挿入されるランレングスリミテッドコードが適応されて、ＥＦＭ変調の対象となるＰＣＭオーデイオデータがＭ系列データでスクランブルがかけられて記録されるデイスク状記録媒体」を回転し、（ｂ）「デイスク状記録媒体から再生されるＥＦＭ信号の平均周波数に応じた電圧値」と（ｃ）「上記目標電圧生成手段で生成される目標電圧値は、上記ＥＦＭ変換テーブルのＥＦＭワードの全発生パターンに対して１ワード内の反転回数を集計して１ワード内の平均反転回数を予め算出し、上記１ワード内の平均反転回数に基づいて上記単一ＥＦＭフレーム内での平均反転回数を算出し、上記算出された単一ＥＦＭフレーム内での平均反転回数に基づいて生成される」目標電圧とを比較して、「回転手段を制御する」ものであるが、
引用例１のものは、（ａ）「ＰＣＭ信号」を記録したディスク記録媒体から、（ｂ）「ＰＣＭ信号の一定時間内における極性変化点（立上りおよび立下りエッジを検出する）の数に対応する値を出力する極性変化点数検出手段（エッジ検出器６）と、上記エッジ検出器６にて生成された一定電圧で一定パルス幅のパルス信号の列を平均化処理するＬＰＦ２２と、上記平均の値に相当した電圧に変換する増幅器２３と」、平均電圧に基づき、（ｃ）「同平均電圧が一定線速条件により規定される値に一定化するべくモータ２の回転速度を制御する」点で相違する。
　
（相違点の検討）
（相違点ａ）
　相違点における（ａ）は、ＥＦＭ変調の原理を述べているに過ぎない。
　即ち、本件出願前公知の刊行物である「ハイテクブックシリーズ１　ＣＤのすべて　原田益水著　株式会社電波新聞社発行　１９９１（平成３）年１月２０日第２刷（第１刷は１９８９年１０月２０日）（以下、刊行物ａという。）」を周知例とし、その第１８４頁〜第１８７頁の「５　ＥＦＭ変調」に次のように紹介されている。
「ＣＤに用いるＥＦＭ変調の特徴は、最小反転間隔Ｔｍｉｎが大きく、しかも最高反転間隔Ｔｍａｘも比較的小さくすることですが、最大反転間隔は、クロックが再生可能なら大きい方が有利です。要は、記録密度を上げることですが、記録信号の直流分を少なくし、ＨＩＧＨとＬＯＷの現れる期間を等しくなるようにします。
　ステレオのＬ・Ｒ信号は、それぞれＡ／Ｄ変換で１６ビットで量子化されるのですが、標本値の半分８ビットを１シンボルとよんでいます。
　この８ビットを、さらに１４ビットに変換するのが特徴で、ＥＦＭ（Eight to Fourteen Modulation）とよばれるゆえんです。
　８ビットデータは２５６種しかないので、１４ビットの１万６，３８４種のなかから、理想に近いコードを２５６種選んで対応させておきます。この変調方式は、ソニーとフィリップスで共同開発されたものです。
　１４ビットをチャンネルビットとよんでいますが、各チャンネルビット間に３ビットのつなぎビットを挿入します。結局、１７ビットが単位シンボルになります。つなぎビットの目的は、記録波形の直流成分を少なくすることにあり、長い期間でみて ＨＩＧＨとＬＯＷが等しくなるようにします。第１０−６図にＥＦＭ変調の一例を示します。
　ＤＳＶ（Digital Sum Value）は、デジタル記録信号に直流成分がどの程度含まれるかを表す目安になる数値で、各ビット単位で考えて、波形がＨＩＧＨならば１、ＬＯＷならば−１を順次加算していくだけです。
　つなぎビットは、ＤＳＶが０に収れんするように加え、０になるほど信号の直流成分は少なくなっていきます。
　つまり、ＨＩＧＨとＬＯＷの現れる確率は、全体として同じぐらいになれば理想的というわけです。データシンボルごとに３ビット加えるので、記録情報が増加して不利になるような気もしますが、実際には、それ以上のメリットがあるわけです。
　記録波形は、ＨＩＧＨとＬＯＷの繰り返しになっていて、ＬＯＷの部分にピットを形成してＣＤのトラックになっています。
　この場合、再生信号は単にＨＩＧＨとＬＯＷの繰り返しですが、その中に多くのビット数を含んでいるわけです。その各ビットがきちんと読み取れなければ再生は不可能になります。再生クロックの必要な理由はここにあるわけです。
　チャンネルビットのＨＩＧＨまたはＬＯＷに相当する期間は３Ｔから１１Ｔの間にあって９種類あります。ここでいうＴとは１ビットの間隔で、約２３０ｎｓということになります。
　これはどういう意味かといいますと、ビット間隔はできる限り長くして、記録波形があまり頻繁に反転しないようにして、記録密度の向上をはかっています。反転回数が多いと、記録周波数が上がって、それだけ記録が窮屈になるわけです。
　第１０−７図に記録データのフレーム構成を示します。フレームが一つのブロックになっていて、記録信号はブロック単位になっています。１フレームのビット数は５８８ビットで、最初に同期信号があり、２４ビット構成でフレームの始まりを示しています。
　次に制御信号が１４ビットの１シンボルで、あとはデータの１２シンボルビット、誤り訂正用パリティビットは４シンボルでそれぞれ２回並んでいます。各シンボルビットの間には、３ビットずつのつなぎビットがはいっているわけです。
　各チャンネルビット１４ビットとつなぎビット３ビットの中で、記録信号は数回反転を繰り返しています。具体的には、１と１の間に ０は２ 〜１０個の範囲ではさみ込まれています。
　記録波形を生成するルールは、チャンネルビットの０と１の間で必ず反転させるという約束です。１と０の間ではありません。そこで、パルス幅は３〜１１ビットの幅になるわけです。第１０−６図を参照して下さい。　　　　１４ビットのチャンネルビットをもとのデータビットの８ビットに戻すときは、２５６種のデータビットに対応するチャンネルビットは決まっているので、その一覧表通りにもとのデータに戻せばいいわけです。
　音声データの１６ヒットは６万５，５３６種になりますが、８ビットずつに分けてそれぞれの２５６種を二つ組み合わせると６万５，５３６種類が取り出せるわけです。
　ごみやドロップアウトにより長期間信号がなくなると、再生信号が取り出せなくなります。これを避けるため、ブロックに分けて処理し、ブロックの頭に同期信号を入れておきます。再生信号が乱れても、次のブロックの同期でビット同期がかかり、正常な再生にはいります。
　このブロックがフレームに相当し、フレーム周波数は７．３５ｋＨｚ、チャンネルビット周波数は４．３ＭＨｚになっています。」と記載されている。
　
　また、本件出願前公知の「図解コンパクトディスク読本（改訂３版）　著者　中島平太郎、小川博司　株式会社オーム社　昭和５７年１１月２５日第１版第１刷発行　ｐ１１０−１１７（以下、刊行物ｂという。）」も周知例とし、その「５・４　変調がなぜ必要なのでしょう」、「５・５　ＣＤ方式の変調法（ＥＦＭ）」に、ＥＦＭ変調について示されている。そして、第１１２頁第１８行〜第１１３頁第１６行に、
「５・５　ＣＤ方式の変調法（ＥＦＭ）　ＣＩＲＣから，１フレーム（６標本値区間，Ｌ，Ｒおのおの６サンプル）の時間に３２シンボルのデータとパリティが出力されます．
　ＥＦＭでは，この各シンボル８ビットを，１４ビットからなるパターンに変換します．このいくつかを図５・１７に示します．
　１４ビットあれば，０と１の組合せが２１４個つくれるわけです．しかし，一方，各シンボルは８ビットで構成されていますから，２８＝２５６パターンしかありません．したがって，２１４＝１６３８４個のパタ−ンから，都合のよいものを２５６選び出すことになります．図５．１７において，１４ビットのパターンのうち，１は反転を示します．これが↑であっても↓であってもかまいません．
　前の条件のＴｍｉｎ（図５・１５）は大きいほうがよいわけですから，１４ビットのパターンは，１と１の間に０が２個以上入るものが選び出されています．逆に，このような条件を課して２５６とおりを選び出すには，１４ビット必要であったということです．
　実は，２１４のうち，１と１の間に０が２個以上という条件を満たすものは２７７とおりありますが，この中には，すべて０で構成される１４ビットパターンも含まれており，Ｔｍａｘが短いほどよいという条件から，１と１の間に入る ０の数が１０個までと決めますと，２６７のパターンが可能であり，実際のＥＦＭの変換表には，このうち２５６のパターンが選ばれています．」と記載されている。
　上記ＥＦＭに関する、刊行物ａ及びｂの説明を見ると、相違点ａである「８ビットデータ単位毎にＥＦＭ変換テーブルに基づいて１４ビットからなるＥＦＭワードに変換され、固定パターンから成るシンクパターンと上記複数のＥＦＭワードと上記ＥＦＭワード間に挿入される３ビットからなるマージンビットとパリテイとから単一ＥＦＭフレームを構成し、上記ＥＦＭフレームに含まれる「１」の発生位置をパルス反転位置とし、「１」と「１」との間隔を最小反転間隔と最大反転間隔で制限されるとともに「１」と「１」との間に所定個数以上の「０」が挿入されるランレングスリミテッドコードが適応されて、ＥＦＭ変調の対象となるＰＣＭオーデイオデータがＭ系列データでスクランブルがかけられて記録される」は、ＥＦＭ変調の原理を述べているに過ぎない。そして刊行物ａ及びｂにおいてＥＦＭに関して説明している内容は、本件出願時には周知であると認められる。
　また、引用例２にも示されるように、光記録媒体にＥＦＭ変調を用いることは、本件出願時には周知のものである。
　そして、ＥＦＭ変調されたデータに対して適用したことに格別のことが認められない。
　
（相違点ｂ、ｃ）
　本願において、平均反転値をもって制御することは、平均値が、制御するに値するほどの技術的意味を持つ期間を決めて、その平均反転値を用いることであり、反転が、当該期間において、その基準平均値となることを予想するものであり、反転が結局は平均的に現れると言うことに他ならない。そうであるからこそ、（ｂ）と（ｃ）の平均反転回数に基づいて生成した目標電圧と比較することで回転制御が行えるのである。
　してみると、引用例１における一定時間毎に区切られた期間内に含まれるパルスの立上りおよび立下りエッジを検出した数に対応する値は略一定であるという統計的性質を用いることと軌を一にするものである。
　したがってＥＦＭ信号を、同期信号を抽出する方法でなく、引用例１のＰＣＭ信号に替えて、（ｂ）のごとくＥＦＭ信号を用いることに格別の困難性が認められない。そして、その期間を（ｃ）「１ワード内の反転回数を集計して１ワード内の平均反転回数を予め算出し、上記１ワード内の平均反転回数に基づいて上記単一ＥＦＭフレーム内での平均反転回数を算出」のごとくすることはＥＦＭフレーム内で、全てを選出し、単純に合計を求めるか、ワード毎に算出し、フレームで合計するかなどのように、１ＥＦＭフレームの構造が刊行物ａの第１０−７図などで周知であるので、当業者にとって反転回数を算出する際の単なる設計的事項であり、当業者が任意に設定できた事項であると認められる。
　
４　請求人の主張について
（１）　請求人は意見書において、『本願発明は、最小反転回数が１回であるデータ＄２０で埋め尽くされたＥＦＭフレームが再生されるときに呈する５３回を目標反転回数１２１回に近づけるように回転を早め、逆に最大反転回数が５回であるデータ＄Ｂ２で埋め尽くされたＥＦＭフレームが再生されるときに呈する１８５回を目標反転回数１２１回に近づけるように回転を遅くするように制御する。』と主張している。
　しかしながら、上記のように「最小反転回数が１回であるデータ＄２０で埋め尽くされたＥＦＭフレームが再生されるときに呈する５３回を目標反転回数１２１回に近づけるように回転を早め、逆に最大反転回数が５回であるデータ＄Ｂ２で埋め尽くされたＥＦＭフレームが再生されるときに呈する１８５回を目標反転回数１２１回に近づけるように回転を遅くするように制御」したならば、本願発明の目標である線速度一定にすることはできないということになる。
　引用例１のものにおいても、そのような極端な場合も同様に想定できるが、引用例１の記載事項ｄで、「再生されるデイジタル信号の極性変化点に応じてパルス信号を発生させると、一般に上記パルスは一般に一定周期の列ではなく、信号の性質に大きく依存すると共にＭＦＭやＮＲＺＩ等の変調方式等の違いによつても大きく変化する。」と記載されている。請求人の示した例はこの指摘事項に相当するものである。そのような極端な例が少ない乃至ほとんどないということを当然の前提としていることは明らかである。（そして、この例では制御ができないという、自分自身の発明を否定するものである）
　速度制御ができるということは、先の記載に続く引用例１の記載事項ｄの「しかしながらディジタル信号等の場合、一定時間毎に区切られた期間内に含まれるパルス数そのものは略一定であるという統計的性質を示す。」というように、目標反転回数と比較することで、ある一定の値の線速度となるように制御できるというためには、検出したデータの反転回数が目標反転回数の値と近いまたは一致することを前提条件としていると見る外はない。
　従って、請求人のこの主張は認められない。
　
（２）　また、請求人は意見書において、『審判官殿は、上記目標反転回数１２１回をパルス数略一定と見なしているように思えるが、本願発明は、ＰＬＬがロックしているときには一定時間毎に区切られた期間内に含まれるパルス数は絶対に一定にならないシステムにおいて、ラフサーボ時に一定時間毎に区切られた期間内に含まれるパルス数はＥＦＭ変換テーブルから算出した略一定（１２１回）値になると仮定することで、ラフサーボ時の引き込みを行うことを特徴としているものである。』と主張している。
　上記（１）でも述べたが、目標反転回数と比較することで、ある一定の値の線速度となるように制御できるというためには、検出したデータの反転回数が目標反転回数の値と近いまたは一致することを前提条件としていると見る外はない。一定時間毎に区切られた期間内に含まれるパルス数は絶対に一定にならないシステムにおいて、制御できるとの請求人の主張は認められない。
　
（３）　更に請求人は意見書において、『ＮＲＺＩはパルス信号は一定周期の（パルス）列でないことは明らかである。』と述べているが、引用例１の制御は一定周期の（パルス）列でもって制御するのではなく、一定期間のパルス数（パルスの立ち上がり及び立ち下がりの数）の合計でもって制御している。請求人のこの主張は失当である。
　
（４）　請求人は『ＥＦＭは２の１４乗の組み合わせパターンから２５６通りのパターンを選んだ』と主張する。
　しかし、上記刊行物ａの「８ビットデータは２５６種しかないので、１４ビットの１万６，３８４種のなかから、理想に近いコードを２５６種選んで対応させておきます。」の理想に近いとは、刊行物ｂの「前の条件のＴｍｉｎ（図５・１５）は大きいほうがよいわけですから，１４ビットのパターンは，１と１の間に０が２個以上入るものが選び出されています．逆に，このような条件を課して２５６とおりを選び出すには，１４ビット必要であったということです．
　実は，２１４のうち，１と１の間に０が２個以上という条件を満たすものは２７７とおりありますが，この中には，すべて０で構成される１４ビットパターンも含まれており，Ｔｍａｘが短いほどよいという条件から，１と１の間に入る ０の数が１０個までと決めますと，２６７のパターンが可能であり，実際のＥＦＭの変換表には，このうち２５６のパターンが選ばれています．」のことであると認められる。即ち、ＥＦＭ変調のビット対応は、限られた２６７パターンの中から２５６とおりを選択しており、決して２の１４乗のデータ組み合わせの中から任意に選択したのではない。そして、８ビットのデータの内のある一つの出現割合は、１４ビットのデータの内のある一つのビットの出現と１対１に対応するのであるから、変調後の１４ビットデータの現れ方は、変調前の原データの８ビットデータの現れ方と同様の割合である。
　従って、この統計的な性質を示さないとする主張も認められない。この検討は上記（１）〜（３）の認められないとした論拠を補強するものである。
　
５　まとめ
　本願発明は、引用例１及び２記載の発明に基づいて当業者が容易に発明をすることができたものであるので、特許法第２９条第２項の規定により、特許を受けることができないものである。
　よって、結論のとおり審決する。